(57)【要約】【課題】アダプタのケーシング材料としてプラスチックを使用する場合でも照射光線を受けて該ケーシング材料が、保持特性を減退させ、場合によっては蛍光灯交換時にアダプタを損壊させるような疲労現象を示すことがないようにアダプタを構成する。【解決手段】本発明は、慣用の白熱電球ソケットに接続するためのピン形口金３を有するリング形蛍光灯２用の統合された安定器・点弧器ユニットを備えたアダプタ１に関する。該アダプタ１は直方体状ケーシングを有し、該ケーシングの各端部に夫々１つの保持器を備え、該保持器は蛍光灯２のピン形口金３もしくは該蛍光灯の放電バルブ１２を部分的に囲んでいる。しかも本発明では第１の保持器は付加的に前記ピン形口金３を受容して電気的に接点接続するためのソケットを有し、かつ第２の保持器は、蛍光灯２をロックするためのスライド装置６を有している。【選択図】図１
2004172118.tif 000002
【特許請求の範囲】
【請求項１】
慣用の白熱電球ソケットに接続するためのピン形口金（３）を有するリング形蛍光灯（２）用の統合された安定器・点弧器ユニットを備えたアダプタ（１）であって、前記アダプタ（１）が、統合された安定器・点弧器ユニットを収蔵するためのケーシングを有し、かつ該ケーシングには、螺合口金（１４）又はバヨネット口金を有する同心的な一体成形部（１３）が装着されており、前記ケーシングが、ほぼ直方体状の形態を有し、かつリング形蛍光灯（２）によって包囲された空間のほぼ内側に位置しており、かつ前記ケーシングの両端には夫々１つの保持器（１０，１１；１８，２８）が装着されており、該保持器が、前記蛍光灯（２）のピン形口金（３）もしくは前記蛍光灯（２）の放電バルブ（１２）を部分的に囲んでおり、しかも第１の保持器が前記ピン形口金（３）を受容して電気的に接点接続するためのソケットを付加的に有している形式のものにおいて、
第２の保持器（１８，２８）が、リング形蛍光灯（２）をロックするためのスライド装置を有していることを特徴とする、リング形蛍光灯用の統合された安定器・点弧器ユニットを備えたアダプタ。
【請求項２】
アダプタ（１）のケーシングが、下部部分（４）と上部部分（５）とスライド部分（６）とから構成されている、請求項１記載のアダプタ。
【請求項３】
安定器・点弧器ユニットが１枚のシートプレート上に装着されている、請求項１記載のアダプタ。
【請求項４】
ピン形口金用ソケットの電気的な端子接点が、安定器・点弧器ユニット用シートプレートの電気的接続点と電気的に接続されたシートプレート上に装着されている、請求項１記載のアダプタ。
【請求項５】
ピン形口金用ソケットの電気的な端子接点が、安定器・点弧器ユニットのシートプレート上に装着されている、請求項１記載のアダプタ。
【請求項６】
ピン形口金用ソケットを有する保持器が、ケーシング下部部分（４）のフック状に成形された少なくとも１つの延長部（１０）とケーシング上部部分（５）のフック状に成形された少なくとも１つの延長部（１８）とから成り、前記の両延長部（１０，１８）が相俟って蛍光灯（２）を半円形状に囲んでいる、請求項１記載のアダプタ。
【請求項７】
スライド装置を有する保持器が、蛍光灯（２）を載置するケーシング下部部分（４）のフック状に成形された少なくとも１つの延長部（１１）並びにスライド部分（６）から成っており、しかも前記スライド部分（６）が、放電バルブ（１２）を保持するために少なくとも１つのフック状に成形された延長部（２８）を有し、ケーシング上部部分（５）に載置し、かつ蛍光灯をロッキングするためにケーシング縦軸線の方向にシフト可能である、請求項１記載のアダプタ。
【請求項８】
スライド部分（６）が、両側板（２７）の自由端部近傍にアダプタケーシングの長手方向に延びる夫々１つのリブ（２９）を備えたＵ形横断面を有し、しかも前記リブが、ケーシング下部部分（４）の両側壁（８，９）の内面側に沿った対応溝（３０）に係合している、請求項７記載のアダプタ。
【請求項９】
スライド部分（６）が両側板（２７）に沿って、側板壁から切り出された長方形区分（３１）の形のロッキング部分を有し、前記長方形区分が、ケーシング下部部分から離反した方の側でのみ側板壁と固定結合されている、請求項７記載のアダプタ。
【請求項１０】
ロッキング部分が外面側でケーシング下部部分（４）寄りの縁部近くに鋸歯状突起（３２）を有し、該鋸歯状突起が、アダプタの組立時に、ケーシング下部部分（４）の両側壁（８，９）の内面側に形成された対応鋸歯状突起（３３）に噛合う、請求項９記載のアダプタ。
【発明の詳細な説明】
【技術分野】
【０００１】
本発明は、慣用の白熱電球ソケットに接続するためのピン形口金を有するリング形蛍光灯用の統合された安定器・点弧器ユニットを備えたアダプタであって、前記アダプタが、統合された安定器・点弧器ユニットを収蔵するためのケーシングを有し、かつ該ケーシングには、螺合口金又はバヨネット口金を有する同心的な一体成形部が装着されており、前記ケーシングが、実質的に直方体状の形態を有し、かつリング形蛍光灯によって包囲された空間内に実質的に位置しており、かつ前記ケーシングの両端には夫々１つの保持器が装着されており、該保持器が、前記蛍光灯のピン形口金もしくは前記蛍光灯の放電バルブを部分的に囲んでおり、しかも第１の保持器が前記ピン形口金を受容して電気的に接点接続するためのソケットを付加的に有している形式のものに関する。
【背景技術】
【０００２】
リング形蛍光灯と、白熱電球用の慣用の螺合口金に接続するためのアダプタとから成るランプユニットは公知である（例えば、特許文献１参照）。前記アダプタは、ランプを機械的に保持するための支持フレーム以外に、該機械的支持フレームから構造的に分割された、電気的に接続するための口金接続部分を有するフレキシブルな接続ユニットも有しており、前記口金接続部分は、機械的な支持アームに載置されている。更に前記アダプタは、相応に細く設計された発光体内への組付けを許さない安定器・点弧器ユニットを収蔵するために、著しく嵩張った中央ケーシング部分を有している。
【０００３】
また明細書冒頭で述べた形式の構造を実質的に有するアダプタも公知である（例えば、特許文献２参照）。リング形蛍光灯をロックするために該アダプタは、ケーシングの狭幅側壁の、蛍光灯の装着されるフック状に成形された２つの延長部と、前記フック状に成形された延長部に対向する側から蛍光灯を部分的に囲んで前記フック状に成形された延長部に蛍光灯を圧着するばね舌片の形のボトムプレートの延長部とから成るスナップ装置を有している。しかしながら当該公知のロック機構は、ケーシング、特にばね舌片をプラスチックから製作する場合に、該ばね舌片が、特に蛍光灯自体の照射光線によって、時間の経過につれて、そのばね作用を失い、かつ蛍光灯交換時に折損することがあるという欠点を有している。
【特許文献１】米国特許第４ ４５４ ４５１号明細書
【特許文献２】ドイツ連邦共和国特許出願公開第１９８ ２２ ４６０．５号明細書
【発明の開示】
【発明が解決しようとする課題】
【０００４】
本発明の課題は、アダプタのケーシング材料としてプラスチックを使用する場合でも照射光線を受けて該ケーシング材料が、保持特性を減退させ、場合によっては蛍光灯交換時にアダプタを損壊させるような疲労現象を示すことがないようにアダプタを構成することである。
【０００５】
アダプタは、蛍光灯との組立を簡便かつ迅速に可能でなければならない。更にアダプタは、蛍光灯の照射状態に関わり無く、アダプタ内における蛍光灯の固定的な座着を可能にしなければならない。
【課題を解決するための手段】
【０００６】
明細書冒頭で発明の上位概念として特定した形式のアダプタ、つまり慣用の白熱電球ソケットに接続するためのピン形口金を有するリング形蛍光灯用の統合された安定器・点弧器ユニットを備えたアダプタであって、前記アダプタが、統合された安定器・点弧器ユニットを収蔵するためのケーシングを有し、かつ該ケーシングには、螺合口金又はバヨネット口金を有する同心的な一体成形部が装着されており、前記ケーシングが、実質的に直方体状の形態を有し、かつリング形蛍光灯によって包囲された空間内に実質的に位置しており、かつ前記ケーシングの両端には夫々１つの保持器が装着されており、該保持器が、前記蛍光灯のピン形口金もしくは前記蛍光灯の放電バルブを部分的に囲んでおり、しかも第１の保持器が前記ピン形口金を受容して電気的に接点接続するためのソケットを付加的に有している形式のものにおいて、前記課題を解決する本発明の構成手段は、第２の保持器が、リング形蛍光灯をロックするためのスライド装置を有している点にある。
【発明の効果】
【０００７】
スライド装置によって、アダプタにおける蛍光灯の永続的かつ防振的な装着が得られ、該スライド装置は、アダプタソケットを上向きにした懸吊点灯位置においても、アダプタソケットを下向きにした直立点灯位置及びアダプタソケットを横向きにした垂直点灯位置においても蛍光灯を確実に確保する。同時にまた、蛍光灯用保持器がプラスチック製の場合ばね作用を受けないことによって、材料疲労に基づいて弾性的な保持部分が折損するリスクも完全に排除される。
【０００８】
安定器・点弧器ユニットは１枚のシートプレート上に装着されているのが有利である。この安定器・点弧器ユニットのシートプレートと電気的に接続されたシートプレート上にか、或いは更に有利には、前記の安定器・点弧器ユニット用シートプレート上に直接に、ピン形口金用ソケットの端子接点を装着することによって、アダプタの製造は一層簡便化される。
【０００９】
アダプタのケーシングは、下部部分と上部部分とスライド部分とから構成されているのが有利である。
【００１０】
ピン形口金用ソケットを有する第１の保持器は、ケーシング下部部分のフック状に成形された少なくとも１つの延長部とケーシング上部部分のフック状に成形された少なくとも１つの延長部とから成り、前記の両延長部が相俟って蛍光灯を半円形状に囲んでいるのが有利である。
【００１１】
更にスライド装置を有する第２の保持器は、蛍光灯を載置するケーシング下部部分のフック状に成形された少なくとも１つの延長部並びにスライド部分から成っており、しかも前記スライド部分は、放電バルブを保持するために少なくとも１つのフック状に成形された延長部を有し、ケーシング上部部分に載置し、かつ蛍光灯をロックするためにケーシング縦軸線の方向にシフト可能である。
【００１２】
スライド部分を保持するために該スライド部分は、両側板の自由端部近傍にアダプタケーシングの長手方向に延びる夫々１つのリブを備えたＵ形横断面を有し、しかも前記リブは、ケーシング下部部分の両側壁の内面側に沿った対応溝に係合している。
【００１３】
更に付加的にスライド部分は両側板に沿って、側板壁から切り出された長方形区分の形のロッキング部分を有することができ、前記長方形区分は、ケーシング下部部分から離反した方の側でのみ側板壁と固定結合されている。ロッキング作用は、ロッキング部分の外面側の、ケーシング下部部分寄りの縁部近くに設けた鋸歯状突起によって得られ、該鋸歯状突起は、ケーシング下部部分の内壁に設けた対応鋸歯状突起に噛合う。スライド部分の側板に位置する両長方形区分相互を逆向きに幾分押圧すると、長方形区分の鋸歯状突起は、ケーシング下部部分の内壁の対向した鋸歯状突起から離間され、かつスライド部分の自在なシフトを可能にする。長方形区分を再び離すと、スライド部分の両鋸歯状突起は再びケーシング下部部分の対応鋸歯状突起に噛合ってスライド部分をロックする。
【発明を実施するための最良の形態】
【００１４】
次に図面に基づいて本発明の１実施例を詳説する。
【００１５】
図１の斜視的な側面図には、本発明のアダプタ１が未装嵌のコンパクトなリング形蛍光灯２と共に示されている。コンパクトなリング形蛍光灯２は、Ｇ１０ｑ型のピン形口金３を装備しており、かつ３０Ｗの定格出力を有している。なお図２ａもしくは図２ｂでは、コンパクトなリング形蛍光灯２を装嵌した状態で図１のアダプタ１が斜視的な平面図もしくは下面図で示されている。
【００１６】
図２ａ及び図２ｂ並びにそれに続く図３ａ〜図３ｅに基づいて容易に推考できるように、アダプタ１のケーシングは、下部部分４と上部部分５とスライド部分６とから成っている。
【００１７】
ケーシングの下部部分４は、実質的に長方形底面のボトムプレート７と２つの側壁８，９を有している。ボトムプレート７の一方の狭幅端部には、蛍光灯２のピン形口金３のプラスチック部分を支持する１つのフック形延長部１０が一体成形されており、かつ反対側の端部には、前記ピン形口金３に対して直径方向で対向する放電バルブ１２の部分を支持する２つのフック形延長部１１が一体成形されている。更に前記ボトムプレート７には１つの同心的なスリーブ１３が一体成形されており、該スリーブには、組立状態においてＥ２７型の螺合口金１４が装着されている。
【００１８】
ケーシングの上部部分５は、実質的に長方形底面を有する１つの頂板１５と２つの広幅の側壁１６，１７から成っている。頂板１５の一方の狭幅端部には２つのフック形延長部１８が一体成形されており、該フック形延長部は、リング形蛍光灯２のピン形口金３のプラスチック部分を上から部分的に包囲する。更にまたピン形口金３の接続ピン２１を差し通すための孔２０を有する湾曲された狭幅の側壁１９が一体成形されている。頂板１５の他方の狭幅端部には、同じく湾曲された狭幅側壁２２が一体成形されている。ケーシング下部部分とケーシング上部部分とを結合するために上部部分５の両側の各広幅側壁１６，１７は、夫々１つの開口を有する２つのラグ状延長部２３を備えており、前記開口には、組立時に側壁８，９の内面側に設けたＵ形突起２４が係合し、かつもはや解離不能の継手を形成する。ケーシング上部部分５は、スライド部分がシフト可能に装着している領域内に落差部２５を有している。
【００１９】
スライド部分６は、１つの頂板２６と２つの側板２７とからＵ形横断面を形成しており、しかも前記頂板２６には、リング形蛍光灯２の放電バルブ１２を囲むために２つのフック状延長部２８が一体成形されている。両側板２７の自由端近傍には、アダプタケーシングの長手方向に対して平行に延びるリブ２９が、側板２７の外壁に装着されており、該リブは、ケーシング下部部分の内壁に沿って延びる溝３０に係合し、こうしてアダプタ１の縦軸線の方向にスライド部分６のシフトを可能にする。
【００２０】
スライド部分６の両側板２７にはロッキング部分が、側板壁から切り出された長方形区分３１の形で設けられており、該長方形区分は、ケーシング下部部分４から離反した方の側で側板２７の壁と固定的に結合されているにすぎない。ロッキング部分は外面側で、ケーシング下部部分寄り縁部近くに鋸歯状突起３２を有し、該鋸歯状突起は、アダプタ組立時に、ケーシング下部部分４の両側壁８，９の内面側に設けた対応鋸歯状突起３３に噛合う。
【図面の簡単な説明】
【００２１】
【図１】未装嵌のコンパクトなリング形蛍光灯と共に示した本発明のアダプタの斜視的な側面図である
【図２ａ】コンパクトなリング形蛍光灯を装嵌して示した図１のアダプタの斜視的な平面図である
【図２ｂ】コンパクトなリング形蛍光灯を装嵌して示した図１のアダプタの斜視的な下面図である
【図３ａ】図１に示したアダプタのスライド部分の斜視的な側面図である
【図３ｂ】アダプタのケーシング下部部分の斜視的な平面図である
【図３ｃ】断面して示したアダプタのケーシング下部部分の側面図である
【図３ｄ】アダプタのケーシング上部部分の斜視的な平面図である
【図３ｅ】断面して示したアダプタのケーシング上部部分の側面図である
【符号の説明】
【００２２】
１    アダプタ、  ２    リング形蛍光灯、  ３    ピン形口金、  ４    ケーシング下部部分、  ５    ケーシング上部部分、  ６    スライド部分、  ７    ボトムプレート、  ８，９    側壁、  １０，１１    フック形延長部、  １２    放電バルブ、  １４    螺合口金、  １５    頂板、  １６，１７    広幅側壁、  １８    フック形延長部、  １９    側壁、  ２０    孔、  ２１    接続ピン、  ２２    狭幅側壁、  ２３    ラグ状延長部、  ２４    Ｕ形突起、  ２５    落差部、  ２６    頂板、  ２７    側板、  ２８    フック状延長部、  ２９    リブ、  ３０    溝、  ３１    長方形区分、  ３２    鋸歯状突起、  ３３    対応鋸歯状突起
【図１】
2004172118.tif 000003
【図２ａ】
2004172118.tif 000004
【図２ｂ】
2004172118.tif 000005
【図３ａ】
2004172118.tif 000006
【図３ｂ】
2004172118.tif 000007
【図３ｃ】
2004172118.tif 000008
【図３ｄ】
2004172118.tif 000009
【図３ｅ】
2004172118.tif 000010